(57)【要約】【課題】傷口を手当するときに、傷口に当てる消毒ガーゼが傷口に癒着しないようにする、傷処置用救急縄を提供する。【解決手段】  傷処置用救急縄は中空の軟管の外周に液体吸収性外層を被覆してなる。中空の軟管の管材には補強材として延性を有する金属線が埋め込まれる。使用時には傷処置用救急縄を適当な長さに切って環状の傷処置環にして傷口を囲むように設置し、その上に消毒ガーゼを傷に接触しないように覆い、包帯又はテープで固着する。【選択図】図１
0003125922.tif 000002
【実用新案登録請求の範囲】
【請求項１】
補強材が埋め込まれてなる中空の軟管と、
前記軟管の外周面を覆う液体吸収性外層とからなる、傷処置用救急縄。
【請求項２】
前記補強材がアルミニウム線材であり、
前記液体吸収性外層が綿質繊維織物である、請求項１に記載の傷処置用救急縄。
【考案の詳細な説明】
【技術分野】
【０００１】
本考案は、傷処置用救急材に関し、特に、傷を急いで処置するための救急縄に関する。
【背景技術】
【０００２】
従来から、体の表面を覆っている皮膚や、その他の部位の表面を損傷した場合、損傷した部位（以下、傷又は傷口と称する）の救急手当をする（以下、処置と称する）には、傷口を清潔な水又は薬液などで洗って消毒ガーゼを当てて、包帯又は粘着テープ（絆創膏）で固着する。又、出血が多い場合は、出血を止めるための処置をする（血止め処置と称する）。この血止め処置には、縄又は布で傷口の上側をくくり締めることがある。
【考案の開示】
【考案が解決しようとする課題】
【０００３】
ところで、従来では消毒ガーゼを直接傷口に当てて包帯又は粘着テープで固着するので、消毒ガーゼが傷口に圧着され、傷口に癒着することがあり、消毒ガーゼを取り替えるときに、癒着した傷口が又開いて、完全に全癒するまでの時間が長くなる。又、通常の梱包用の縄で血止め処置をするとき、縄を予め消毒しておかないと、傷口が感染する恐れがある。
【０００４】
本考案は前記課題に鑑みてなされたものであって、傷口を手当するときに、傷口に当てる消毒ガーゼが傷口に癒着しないようにする、傷処置用救急縄を提供する。さらに、本考案は、傷口の血止め処置をするときに、便利で傷口が感染する恐れのない、安心して使用できる傷処置用救急縄を提供する。
【課題を解決するための手段】
【０００５】
本考案は、補強材が埋め込まれてなる中空の軟管と、前記軟管の外周面を覆う液体吸収性外層とからなる傷処置用救急縄を提供する。
【０００６】
そして、前記補強材がアルミニウム線材であり、前記液体吸収性外層が綿質繊維織物であることが好ましい。
【考案の効果】
【０００７】
この考案は、補強材が埋め込まれてなる中空の軟管と、前記軟管の外周面を覆う液体吸収性外層とで傷処置用救急縄を構成したので、傷口を手当するときに、傷口に当てる消毒ガーゼが傷口に癒着しないようにすることができる。
【考案を実施するための最良の形態】
【０００８】
次に、本考案の好ましい実施態様を、図面を参照して説明する。
【０００９】
図１は本考案の傷処置用救急縄の外視図であり、図２は本考案の傷処置用救急縄の断面図である。
【００１０】
図１において、本考案の傷処置用救急縄１０は、図２に示すように補強材としてのアルミニウム線材1２が埋め込まれてなる中空の軟管１１と、軟管１１の外周面を覆う繊維織物からなる液体吸収性外層１３を有する。
【００１１】
軟管１１は天然ゴム、シリコーンゴム、ポリエチレン、ナイロン又はポリウレタンなど、柔軟で弾性を有する耐水性、耐蝕性樹脂材が好適に使用される。又、軟管１１は、中空部１４を有する円形の断面形状を有し、軟管１１の内径ｄは１ｍｍから６ｍｍ、外径Ｄは３ｍｍから１０ｍｍ程度で良いがこれらの寸法に限られない。
【００１２】
液体吸収性外層１３は厚さ１ｍｍ〜６ｍｍ程度の綿質繊維織物、例えばガーゼを一枚又は複数枚重ねて形成することができる。又はテープ状のガーゼを螺旋状に軟管１１の外周面に複数層巻き付けて形成しても良い。液体吸収性外層１３は適当な接着剤を介して軟管１１の外周に固着し、消毒処理を施して、完成品とする。完成品は消毒済の包装袋に密封して保存する。
【００１３】
補強材としてのアルミニウム線材１２の太さは特に制限はないが、軟管１１の管材（管壁）内に埋め込まれ、管材から露出しない程度の太さであれば良く、又その本数も特に制限はなく、１本から数本と、自由に取り決めることができる。
【００１４】
又、補強材としてのアルミニウム線材１２は、アルミニウムの代わりに、延性を有する金属、例えば銅線材、又はステンレス線材でも良い。又、線材でなく、網材でも良い。
【００１５】
本考案の傷処置用救急縄１０の長さは特に限定されることはなく、素材として数センチから数メートル又はそれ以上の長さに製造しておき、使用時に、必要に応じて適当な長さに切断し、リング状に曲げて使用する。
【００１６】
図３は本考案の傷処置用救急縄をリング状にして使用する場合の分解説明図であり、図４は本考案の傷処置用救急縄をリング状にして使用する場合の断面説明図であり、図５は本考案の傷処置用救急縄を血止め用縄として使用する場合の説明図である。
【００１７】
使用に当っては、図３に示すように、本考案の傷処置用救急縄を適当な長さに切って、リング状に曲げたもの２１（傷処置環と称する）を、処理すべく傷口２２を取り囲むように設置し、その上に消毒ガーゼ２３を乗せ、図４に示すように包帯２４を巻き付ける。消毒ガーゼ２３は傷処置用救急縄を介して設置されることになるので、傷口に接触することがなく、傷口に癒着する機会が大幅に減少する。
【００１８】
この際、好ましくは消毒ガーゼ２３をリング状にした傷処置環２１の外径Ｅより十分に大きく取り、傷処置環２１の外径より外側へはみ出した消毒ガーゼの部分を押圧して、消毒ガーゼ２３が傷処置環２１の内径に、たるまないように張り渡すようにして、消毒ガーゼ２３と傷口２２との間に間隙を形成して、消毒ガーゼ２３が傷口２２に接触しないようにする。これにより、消毒ガーゼ２３が傷口２２に癒着することを防止することができる。
【００１９】
又、本考案の傷処置用救急縄１０は、適当な長さにして、傷口２２の上側をくくり締めるように巻き付けることによって、血止め用縄として使用することができる。その場合、軟管１１は補強材として埋め込まれた延性を有するアルミニウム線材１２を有するので、図５に示すように、縄の両端部を互いに撚り合わせて絞め付けることができ、これを解くときは撚り方向の逆方向に捻れば良い。従って従来の結び付ける方法より便利である。
【００２０】
なお、本考案の傷処置用救急縄は、上記の考案例では縄状としたが、適当な大きさの環状に製造しておくこともできる。さらに、その断面形状は円形に限らず、楕円形、又は多角形でも良い。
【００２１】
以上、図面を参照して本考案の実施形態を説明したが、本考案は、図示した実施形態のものに限定されない。図示された実施形態に対して、本考案と同一の範囲内において、あるいは均等の範囲内において、種々の修正や変形を加えることが可能である。
【産業上の利用可能性】
【００２２】
この考案の傷処置用救急縄は、体の表面を覆っている皮膚や、その他の部位の表面を損傷した場合に傷口の救急手当をするのに利用できる。
【図面の簡単な説明】
【００２３】
【図１】本考案の傷処置用救急縄の外視図である。
【図２】本考案の傷処置用救急縄の断面図である。
【図３】本考案の傷処置用救急縄をリング状にして使用する場合の分解説明図である。
【図４】本考案の傷処置用救急縄をリング状にして使用する場合の断面説明図である。
【図５】本考案の傷処置用救急縄を血止め用縄として使用する場合の説明図である。
【符号の説明】
【００２４】
１０  傷処置用救急縄、１１  軟管、１２  補強材、１３  液体吸収性外層、１４  中空部、２１  傷処置環、２２  傷口、２３  消毒ガーゼ、２４  ホウ帯又はテープ、ｄ  軟管１１の内径、Ｄ  軟管１１の外径、ｔ  液体吸収性外層１３の厚さ、Ｅ  傷処置環２１の外径。
【図１】
0003125922.tif 000003
【図２】
0003125922.tif 000004
【図３】
0003125922.tif 000005
【図４】
0003125922.tif 000006
【図５】
0003125922.tif 000007